(57)【要約】【課題】  軸受の初期状態および安定状態の各段階においてシールリップに最適な締め代を持たせることで、軸受の初期状態においてはグリースの初期漏れを防止し、また安定状態においてはシールリップの締め代による損失トルクを低減させることができる軸受装置および当該軸受装置を備えた水ポンプを提供する。【解決手段】  水ポンプ１のポンプ軸８を回転自在に支承する軸受装置７は、外輪部材１３と、内輪部材を兼ねるポンプ軸８と、外輪部材１３とポンプ軸８との間で周方向に転動自在に配設された複数の転動体である玉１４と、ポンプ軸４の外周面に全周にわたって摺接する主リップ１９および副リップ２０を有するシール部材１６とを有しており、主リップ１９および副リップ２０のポンプ軸８の外周面との摺接面には、全周にわたって設けられた円環状の摺接突起２１，２２がそれぞれ形成されている。【選択図】        図３
2005337399.tif 000002
【特許請求の範囲】
【請求項１】
外輪部材と、内輪部材と、前記外輪部材と前記内輪部材との間で周方向に転動自在に配設された複数の転動体と、前記外輪部材に装着され且つ前記内輪部材の外周面に全周にわたって摺接する少なくとも一つのシールリップを有する円環状のシール部材と、を備える軸受装置であって、
前記シール部材のシールリップの少なくとも１つが、少なくとも初期状態において全周にわたって形成された円環状の摺接突起を有することを特徴とする軸受装置。
【請求項２】
前記摺接突起の基端部に切込みが設けられていることを特徴とする請求項１記載の軸受装置。
【請求項３】
前記内輪部材が一方の端部にインペラを固定され且つ他方の端部にプーリを固定されたポンプ軸である請求項１または請求項２に記載の軸受装置を備えたことを特徴とする水ポンプ。
【発明の詳細な説明】
【技術分野】
【０００１】
本発明は、内燃機関の冷却水を循環させるための水ポンプ等に好適に用いられる軸受装置及び当該軸受装置を備えた水ポンプに関する。
【背景技術】
【０００２】
従来、自動車のエンジンの冷却水を循環させるための水ポンプは、図９に示すように構成されている（例えば、特許文献１参照。）。図９に示す水ポンプ１０１のハウジング１０２は、第１ハウジング部材１０３と第２ハウジング部材１０４とを複数のボルトにより互いに締結されて構成されている。第２ハウジング部材１０４は、図示しないエンジンのウォータジャケットに接続されている管路との接続口および図示しないラジエータ（若しくはサーモスタット）に接続されている管路との接続口を有しており、第１ハウジング部材１０３と第２ハウジング部材１０４との間には、両接続口を連絡するポンプ室１０５が画成されている。
【０００３】
一方、第１ハウジング部材１０３には、ポンプ室１０５の後方に円筒部１０６が設けられており、ポンプ軸１０８は軸受装置１０７を介して円筒部１０６に回転自在に支持されている。ポンプ軸１０８の一方の端部（図９の右端部）はポンプ室１０５に突出して配置されており、該端部にはインペラ１０９が固定されている。そして、ポンプ軸１０８の他方の端部（図９の左端部）はハウジング１０１から外方に突出して配置されており、該端部にはプーリ１１０が固定されている。また、ポンプ室１０５側の円筒部１０６の内周面とポンプ軸１０８の外周面との隙間はメカニカルシール１１１によりシールされている。運転時には、プーリ１１０が図示しないエンジンのプーリに巻架されたベルト１１２により回転駆動され、この結果、ポンプ室１０５内で上記インペラ１０８が回転し、ラジエータから供給された冷却水をウォータジャケットに送り出すようにしている。
【０００４】
軸受装置１０７は、第１ハウジング部材１０３の円筒部１０６に外輪部材１１３を内嵌固定し、外輪部材１１３の内周面に設けた外輪軌道とポンプ軸１０８の外周面に設けた内輪軌道との間に、それぞれが転動体であるころ１１４と玉１１５とを、それぞれ複数個ずつ、円周方向に転動自在に配設して構成されている。この様な軸受装置１０７は、プーリ１１１を介してベルト１１２からポンプ軸１０８に加わるラジアル荷重を支承しつつ、ポンプ軸１０８がスラスト方向に変位する事を防止して、ハウジング１０１に対してポンプ軸１０８を回転自在に支承している。
【０００５】
そして、軸受装置１０７の軸方向（図９の左右方向）両端部にはシール部材１１６，１１６が設けられており、各シール部材１１６，１１６は、図１０に示す様に、円環状の芯金１１７と弾性材１１８とから構成されている。弾性材１１８は、芯金１１７の内周縁部から半径方向内方に突出した状態で芯金１１７に添着しており、複数本のシールリップ１１９、１１９を有している。各シールリップ１１９，１１９の内周縁はポンプ軸１０８の中間部外周面に摺接しており、軸受装置１０７の内外をシールしている。
【特許文献１】特開平１０−１１０６９５号公報
【発明の開示】
【発明が解決しようとする課題】
【０００６】
水ポンプに用いられる軸受装置において、プーリ側に装着されるシール部材には、外部からの塵、水の進入防止と共に、軸受内部からのグリースの漏洩防止、が要求される。そして、グリース洩れには、大きく分けて初期漏れ、長期漏れ、及びその他に分類できるが、これらの中で、特に初期漏れの防止が重要視されており、そのため、シール部材の各シールリップには初期漏れ防止に適した締め代が持たされて装着されている（即ち、図１０において、シール部材１１６はシールリップ１１９をポンプ軸１０８に押し付けるように装着されている。）。
【０００７】
軸受は、軸受使用前（即ち、新品）の状態において、軸受内に封入されたグリースのほとんどが転動体の軌道上もしくはその近傍に存在しており（以後、この状態を軸受の初期状態と称する。）、軸受の運転開始から暫くの間（５〜２０時間程度）、転動体がグリースをかき分けるようにして運転される。これにより、グリースが外方へはじき出され、はじき出されたグリースがシールリップを外方へ押圧し、シールリップとポンプ軸との間に隙間を生じさせてグリースの初期洩れが生ずる。その後、グリースは、十分に攪拌されて軸受内部における安定位置（例えば、軌道面の近傍、シールの裏側、保持器の間など）に定着し、漏れ難くなる（以後、この状態を軸受の安定状態と称する。）。
【０００８】
しかし、従来のシールリップは、軸受のグリースの初期漏れを防止するのに十分な締め代に設定されているため、グリースが安定位置に定着した後には、シールリップの締め代が過大となり、シールリップの締め代による損失トルクが問題となっていた。
【０００９】
本発明は、前述した問題点に鑑みてなされたものであり、その目的は、軸受の初期状態および安定状態の各段階においてシールリップに最適な締め代を持たせることで、軸受の初期状態においてはグリースの初期漏れを防止し、また安定状態においてはシールリップの締め代による損失トルクを低減させることができる軸受装置および当該軸受装置を備えた水ポンプを提供することにある。
【課題を解決するための手段】
【００１０】
本発明に係る上記課題は、下記構成によって達成される。
【００１１】
（１）  外輪部材と、内輪部材と、前記外輪部材と前記内輪部材との間で周方向に転動自在に配設された複数の転動体と、前記外輪部材に装着され且つ前記内輪部材の外周面に全周にわたって摺接する少なくとも一つのシールリップを有する円環状のシール部材と、を備える軸受装置であって、
前記シール部材のシールリップの少なくとも１つが、少なくとも初期状態において全周にわたって形成された円環状の摺接突起を有することを特徴とする軸受装置。
（２）  上記（１）に記載の軸受装置であって、前記摺接突起の基端部に切込みが設けられていることを特徴とする軸受装置。
（３）  前記内輪部材が一方の端部にインペラを固定され且つ他方の端部にプーリを固定されたポンプ軸である上記（１）または（２）に記載の軸受装置を備えたことを特徴とする水ポンプ。
【００１２】
上記構成による軸受装置および当該軸受装置を備えた水ポンプによれば、内輪部材の外周面と摺接する少なくとも一つのシールリップがシール部材に形成されており、更に、該シールリップのうち少なくとも一つには少なくとも初期状態において全周にわたって円環状の摺接突起が形成されている。これにより、適宜の締め代を持って装着されたシールリップは、軸受の初期状態においてグリースの初期漏れを防止し、時間の経過と共に軸受が初期状態から安定状態へ遷移する際には、前記環状突起が磨耗し若しくは折損して消滅し、シールリップの締め代が減少して、軸受の安定状態における損失トルクを初期状態における損失トルクより低減させることができる。
【００１３】
また、水ポンプは一般の軸受と異なり、内輪部材がポンプ軸（回転軸）とされているため、段部を形成してシール溝を設けることができない。よって、上記のように、シールリップのポンプ軸（内輪部材）外周面との摺接面に摺接突起を設けることは、グリースの初期洩れの防止に非常に有効である。もちろん、上記構成の摺接突起を有するシールリップを一般の軸受に適用した場合にもグリースの初期洩れを有効に防止することができる。
【発明の効果】
【００１４】
本発明の軸受装置および当該軸受装置を備えた水ポンプによれば、軸受の初期状態および安定状態の各段階においてシールリップに最適な締め代を持たせることにより、軸受の初期状態においては、グリースの初期漏れを防止し、安定状態においてはシールリップの締め代による損失トルクを低減させることができる。
【発明を実施するための最良の形態】
【００１５】
以下、本発明に係る好適な実施形態を図面を参照して説明する。
図１は本発明の第１実施形態に係る水ポンプの断面図、図２は図１における水ポンプの軸受装置の断面図、図３は図２におけるシール部材のシールリップの拡大断面図、図４は図３におけるシール部材のシールリップの変形例を示す拡大断面図である。
【００１６】
（第１実施形態）
図１に示すように、本発明の第１実施形態である水ポンプ１のハウジング２は、第１ハウジング部材３と第２ハウジング部材４とを複数のボルトにより互いに締結されて構成されている。第２ハウジング部材４は、図示しないエンジンのウォータジャケットに接続されている管路との接続口および図示しないラジエータ（若しくはサーモスタット）に接続されている管路との接続口を有しており、第１ハウジング部材３と第２ハウジング部材４との間には、両接続口を連絡するポンプ室５が画成されている。
【００１７】
一方、第１ハウジング部材３には、ポンプ室５の後方に円筒部６が設けられており、ポンプ軸８は軸受装置７を介して円筒部６に回転自在に支持されている。ポンプ軸８の一方の端部（図１の右端部）はポンプ室５に突出して配置されており、該端部にはインペラ９が固定されている。そして、ポンプ軸８の他方の端部（図１の左端部）はハウジング１から外方に突出して配置されており、該端部にはプーリ１０が固定されている。また、ポンプ室５側の円筒部６の端部内周面とポンプ軸８の外周面との隙間はメカニカルシール１１によりシールされており、ポンプ室５から円筒部６の内部に冷却水が進入しないようになっている。
【００１８】
運転時には、プーリ１０が図示しないエンジンのプーリに巻架されたベルト１２により回転駆動され、この結果、ポンプ室５内でインペラ９が回転し、ラジエータから供給された冷却水をウォータジャケットに送り出すようになっている。
【００１９】
図２に示すように、軸受装置７は、第１ハウジング部材３の円筒部６に外輪部材１３を内嵌固定し、ポンプ軸８を内輪部材としている。外輪部材１３の内周面には複列の外輪軌道が形成され、ポンプ軸８の外周面には前記複列の外輪軌道に対応する複列の内輪軌道が形成されており、前記外輪軌道と内輪軌道との間には、それぞれが転動体である玉１４，１４が、それぞれ複数個ずつ、円周方向に転動自在に配設されている。そして、複数の玉１４は、保持器１５により円周方向に等間隔に転動自在に保持されている。この様な軸受装置７は、ベルト１２からプーリ１１を介して上ポンプ軸８に加わるラジアル荷重を支承しつつ、ポンプ軸８がスラスト方向に変位する事を防止して、ハウジング１に対してポンプ軸８を回転自在に支承している。
【００２０】
そして、軸受装置７の軸方向（図１の左右方向）両端部にはシール部材がそれぞれ設けられており、軸受装置７のプーリ１１側の軸方向端部に設けられたシール部材１６は、円環状の芯金１７と弾性材１８とから構成されている。弾性材１８は内周縁部を芯金１７から半径方向内方に突出させた状態で芯金１７に添着しており、また、その外周縁部を外輪部材１３設けられた周溝に係合させて外輪部材１３に装着固定されている。弾性材１８の前記内周縁部は、その断面において二股に分かれた略Ｙ字状に形成され、軸受装置７の外方側に傾斜した主リップ１９および内方側に傾斜した副リップ２０が設けられている。
【００２１】
図３に示すように、主リップ１９および副リップ２０のポンプ軸８の外周面との摺接面には、当該摺接面に全周にわたって形成された円環状の摺接突起２１および２２がそれぞれ設けられている。主リップ１９の摺接突起２１は、軸受装置７の外方側に向かうように傾斜して主リップ１９の前記摺接面から突設され、また副リップ２０の摺接突起２２は軸受装置７の内方側に向かうように傾斜して副リップ２０の前記摺接面から突設されており、摺接突起２１及び２２は、半径方向に所定の高さを持ってそれぞれ突出している。
【００２２】
ここで、摺接突起２１及び２２の前記半径方向の高さは、好ましくは０．０２〜０．１ｍｍである。なぜなら、０．０２ｍｍ未満ではグリースの初期洩れを防止するに足るシールリップの締め代を得ることができず、また、０．１ｍｍより大きいと、安定状態に遷移した後にも摺接突起が残ってしまい、ポンプ軸８の回転トルクが大きくなってしまうためである。
【００２３】
主リップ１９及び副リップ２０は、軸受装置７の初期状態において、摺接突起２１及び２２においてポンプ軸８の外周面と摺接しており、主リップ１９及び副リップ２０の締め代は、摺接突起２１および２２の前記半径方向高さぶんだけ大きく設定されることとなる。従って、主リップ１９および副リップ２０は、ポンプ軸８の外周面を強く押圧する。これによって、軸受装置７の初期状態において、内外輪軌道から外方へはじき出されたグリースにより主リップ１９及び副リップ２０が外方へ押圧されて主リップ１９及び副リップ２０とポンプ軸８の外周面との間に隙間が生じることを防止し、グリースの初期漏れを防止するようになっている。
【００２４】
初期状態からの時間の経過に伴い、軸受装置７内のグリースが安定位置に定着して軸受装置７が安定状態に遷移すると共に、摺接突起２１及び２２は、ポンプ軸８を強く押圧しながら摺接することによって徐々に摩耗し、消滅する。摺接突起２１及び２２が消滅することにより、主リップ１９及び副リップ２０の締め代は摺接突起２１及び２２の前記半径方向高さぶんだけ減少し、従って、主リップ１９及び副リップ２０とポンプ軸８の外周面との摩擦による損失トルクは、摺接突起２１及び２２が消滅した後は減少することとなる。
【００２５】
尚、摺接突起２１及び２２は、その磨耗具合によっては付け根部分が残る場合があるが、この付け根部分はポンプ軸８に摺接して該ポンプ軸８を押圧するものではなく、よって、ポンプ軸８の回転トルクを増大させることはない。
【００２６】
上述のように構成された軸受装置７によれば、軸受装置７の初期状態及び安定状態の各段階において、主リップ１９及び副リップ２０の締め代が最適な締め代とされ、初期状態においては、グリースの初期漏れを防止し、安定状態においてはシールリップの締め代による損失トルクを低減させることができる。
【００２７】
尚、主リップ１９と副リップ２０とのいずれか一方のみに摺接突起を設けるようにしてもよい。例えば、図４に示すように、主リップ１９の前記摺接面のみに、当該摺接面に全周にわたって形成された円環状の摺接突起２１設けてもよい。このとき、副リップ２０（即ち、摺接突起を有さないリップ）の締め代は、主リップ１９の摺接突起２１が縮小する前後のいずれにおいても、副リップ２０の前記摺接面と主リップ１９の摺接突起２１若しくは主リップ１９の前記摺接面とが同時にポンプ軸８の外周面に摺接するように設定されていればよく、特に限定されるものではない。
【００２８】
このように構成した場合にも、軸受装置７の初期状態においてはグリースの初期洩れを防止し、安定状態においては損失トルクを低減させることができる。
【００２９】
（第２実施形態）
次に、図５を参照して、本発明の第２実施形態に係る軸受装置及び当該軸受装置を備えた水ポンプについて説明する。なお、第１実施形態と同等の部分については、同一符号を付して説明を省略或いは簡略化する。図５は本発明の第２実施形態である水ポンプの軸受装置の要部断面図である。
【００３０】
軸受け装置７のプーリ１１側（図１および図２参照。）の軸方向端部に設けられたシール部材１６は、円環状の芯金１７と弾性材１８とから構成されている。弾性材１８は、その内周縁部を芯金１７から半径方向内方に突出させた状態で芯金１７に添着しており、弾性材１８の前記内周縁部は、その断面において二股に分かれた略Ｙ字状に形成され、軸受装置７の外方側に傾斜した主リップ２３および内方側に傾斜した副リップ２４が設けられている。
【００３１】
主リップ２３および副リップ２４のポンプ軸８の外周面との摺接面には、当該摺接面に全周にわたって形成された円環状の摺接突起２５および２６がそれぞれ設けられている。主リップ２３の摺接突起２５は、軸受装置７の外方側に向かうように傾斜して主リップ２３の前記摺接面から突設され、また副リップ２４の摺接突起２６は軸受装置７の内方側に向かうように傾斜して副リップ２４の前記摺接面から突設されており、摺接突起２５及び２６は、半径方向に所定の高さを持ってそれぞれ突出している。そして、主リップ２３に形成された摺接突起２５の基端部には、切込み２７が形成されている。
【００３２】
上述のように構成された軸受装置７によれば、摺接突起２５の基端部に切込み２７を形成することにより、グリースが安定位置に定着して軸受装置７が安定状態となった後に、摺接突起２５が容易に折損するようになっている。
【００３３】
本実施形態のその他の構成および作用については、第１実施形態のものと同様である。
【００３４】
（第３実施形態）
次に、図６を参照して、本発明の第３実施形態に係る軸受装置および当該軸受装置を備えた水ポンプについて説明する。なお、第１実施形態と同等の部分については、同一符号を付して説明を省略或いは簡略化する。図６は本発明の第３実施形態である水ポンプの軸受装置の要部断面図である。
【００３５】
軸受け装置７のプーリ１１側（図１および図２参照。）の軸方向端部に設けられたシール部材１６は、円環状の芯金１７と弾性材１８とから構成されている。弾性材１８は、その内周縁部を芯金１７から半径方向内方に突出させた状態で芯金１７に添着しており、弾性材１８の前記内周縁部は、その断面において二股に分かれた略Ｙ字状に形成され、軸受装置７の外方側に傾斜した主リップ２８および内方側に傾斜した副リップ２９が設けられている。
【００３６】
主リップ２８および副リップ２９のポンプ軸８の外周面との摺接面には、当該摺接面に全周にわたって形成された円環状の摺接突起３０および３１がそれぞれ設けられている。主リップ２８の摺接突起３０は、軸受装置７の外方側に向かうように傾斜して主リップ２８の前記摺接面から突設され、また副リップ２９の摺接突３１も軸受装置７の外方側に向かうように傾斜して副リップ２９の前記摺接面から突設されており、摺接突起３０及び３１は、半径方向に所定の高さを持ってそれぞれ突出している。
【００３７】
上述のように構成された軸受装置７は、副リップ２９に設けられた摺接突起３１は軸受装置７の外方側に向かうように形成されているため、摺接突起３１が折損した場合でも、折損片が玉１４側（即ち、軸受装置７の内方）へ入り込むことを防止することができ、水ポンプの運転に支障をきたすことを防止することができる。
【００３８】
本実施形態のその他の構成および作用については、第１実施形態のものと同様である。
【００３９】
（第４実施形態）
次に、図７を参照して、本発明の第４実施形態に係る軸受装置および当該軸受装置を備えた水ポンプについて説明する。なお、第１実施形態と同等の部分については、同一符号を付して説明を省略或いは簡略化する。図７は本発明の第４実施形態である水ポンプの軸受装置の要部断面図である。
【００４０】
軸受け装置７のプーリ１１側（図１および図２参照。）の軸方向端部に設けられたシール部材１６は、円環状の芯金１７と弾性材１８とから構成されている。弾性材１８は、その内周縁部を芯金１７から半径方向内方に突出させた状態で芯金１７に添着しており、弾性材１８の前記内周縁部は、その断面において二股に分かれた略Ｙ字状に形成され、軸受装置７の外方側に傾斜した主リップ３２および内方側に傾斜した副リップ３３が設けられている。
【００４１】
主リップ３２のポンプ軸８の外周面との摺接面には、当該摺接面に全周にわたって形成された円環状の摺接突起３４設けられている。主リップ３２の摺接突起３４は、軸受装置７の内方側に向かうように傾斜して主リップ３２の前記摺接面から突設されている。
【００４２】
上述のように構成された軸受装置７によれば、主リップ３２に設けられた摺接突起３４は軸受装置７の内方側に向かうように形成されているため、摺接突起３４が折損した場合でも、折損片は主リップ３２と副リップ３３とポンプ軸８の外周面とに囲まれた円環状の空間内に封じ込まれるために、折損片が玉１４側へ入り込むことを防止することができ、水ポンプの運転に支障をきたすことを防止することができる。
【００４３】
本実施形態のその他の構成および作用については、第１実施形態のものと同様である。
【００４４】
（第５実施形態）
次に、図８を参照して、本発明の第５実施形態に係る軸受装置および当該軸受装置を備えた水ポンプについて説明する。なお、第１実施形態と同等の部分については、同一符号を付して説明を省略或いは簡略化する。
図８は本発明の第５実施形態である水ポンプの軸受装置の要部断面図である。
【００４５】
軸受け装置７のプーリ１１側（図１および図２参照。）の軸方向端部に設けられたシール部材１６は、円環状の芯金１７と弾性材１８とから構成されている。弾性材１８は、その内周縁部を芯金１７から半径方向内方に突出させた状態で芯金１７に添着しており、弾性材１８の前記内周縁部は、その断面において二股に分かれた略Ｙ字状に形成され、軸受装置７の外方側に傾斜した主リップ３５および内方側に傾斜した副リップ３６が設けられている。
【００４６】
副リップ３６のポンプ軸８の外周面との摺接面には、当該摺接面に全周にわたって形成された円環状の摺接突起３７が設けられている。副リップ３６の摺接突起３７は軸受装置７の外方側に向かうように傾斜して副リップ３６の前記摺接面から突設されており、摺接突起３７の基端部には切込み３８が設けられている。
【００４７】
上述のように構成された軸受装置７によれば、副リップ３６の摺接突起３７の基端部に切込み３８を形成することにより、グリースが安定位置に定着して軸受装置７が安定状態となった後に、摺接突起３７が容易に折損するようになっている。そして、副リップ３６に設けられた摺接突起３７は軸受装置７の内方側に向かうように形成されているため、摺接突起３７の折損片は、主リップ３５と副リップ３６とポンプ軸８の外周面とに囲まれた円環状の空間内に封じ込まれるために、折損片が玉１４側へ入り込むことを防止することができ、水ポンプの運転に支障をきたすことを防止することができる。
【００４８】
本実施形態のその他の構成および作用については、第１実施形態のものと同様である。
【００４９】
尚、本発明は前述した各実施形態に限定されるものではなく、適宜な変形、改良等が可能である。例えば、シール部材１６は、２重リップ構造以外の各種形式のシールを適用しても良い。また、転動体には、玉の他に円筒ころ、円錐ころ、針状ころ、などの各種転動体を用いても良い。更に、シール部材１６は、水ポンプ以外の軸受装置に使用しても良い。
【図面の簡単な説明】
【００５０】
【図１】本発明の第１実施形態に係る水ポンプの断面図である。
【図２】図１における水ポンプの軸受装置の断面図である。
【図３】図２におけるシール部材のシールリップの拡大断面図である。
【図４】図３におけるシール部材のシールリップの変形例を示す拡大断面図である。
【図５】本発明の第２実施形態である水ポンプの軸受装置の要部断面図である。
【図６】本発明の第３実施形態である水ポンプの軸受装置の要部断面図である。
【図７】本発明の第４実施形態である水ポンプの軸受装置の要部断面図である。
【図８】本発明の第５実施形態である水ポンプの軸受装置の要部断面図である。
【図９】従来の水ポンプの断面図である。
【図１０】図９における軸受装置の要部断面図である。
【符号の説明】
【００５１】
１    水ポンプ
２    ハウジング
５    ポンプ室
６    円筒部
７    軸受装置
８    ポンプ軸（内輪部材）
９    インペラ
１０  プーリ
１３  外輪部材
１４  玉（転動体）
１５  保持器
１６  シール部材
１７  芯金
１８  弾性材
１９，２３  主リップ（シールリップ）
２０，２４  副リップ（シールリップ）
２１，２５  摺接突起
２２，２６  摺接突起
２７  切込み
【図１】
2005337399.tif 000003
【図２】
2005337399.tif 000004
【図３】
2005337399.tif 000005
【図４】
2005337399.tif 000006
【図５】
2005337399.tif 000007
【図６】
2005337399.tif 000008
【図７】
2005337399.tif 000009
【図８】
2005337399.tif 000010
【図９】
2005337399.tif 000011
【図１０】
2005337399.tif 000012